(57)【要約】【課題】汎用性および施工性に優れる放射線遮蔽板を提供すること。【解決手段】形状保持可能な板材１０と、板材１０の表裏面１０ａ，１０ａに積層され、かつ、外側面に錫メッキ層２２が設けられた鋼板２０と、を備える放射線遮蔽板Ａとした。これにより、錫メッキ層２２により、放射線を遮蔽することができる。また、錫メッキ層２２を鋼板本体２１の表面にメッキ層として設けたため、錫メッキ層２２の形状を保持でき、施工性に優れる。しかも、鋼板２０を板材１０の表裏面１０ａ，１０ａに積層したため、鋼板２０の板厚を薄くしても板材１０により形状保持することができるとともに、重量を低く抑えることができる。【選択図】図１
2019117100.tif 000002
【特許請求の範囲】
【請求項１】
形状保持可能な板材と、
前記板材の表面、裏面の少なくとも一方に積層され、かつ、外側面に放射線の遮断性を有した金属メッキ層が設けられた金属板と、
を備える放射線遮蔽板。
【請求項２】
請求項１に記載の放射線遮蔽板において、
前記金属メッキ層は、錫メッキ層である放射線遮蔽板。
【請求項３】
請求項１または請求項２に記載の放射線遮蔽板において、
前記錫メッキ層は、厚さが２５マイクロメートル以下である放射線遮蔽板。
【請求項４】
請求項１〜請求項３のいずれか１項に記載の放射線遮蔽板において、
前記板材は、発泡樹脂製である放射線遮蔽板。
【請求項５】
請求項１〜請求項４のいずれか１項に記載の放射線遮蔽板において、
前記金属板は、鋼板である放射線遮蔽板。
【請求項６】
請求項１〜請求項５のいずれか１項に記載の放射線遮蔽板において、
前記金属板は、前記板材の表裏両面に積層されている放射線遮蔽板。
【発明の詳細な説明】
【技術分野】
【０００１】
本開示は、放射線遮蔽板に関する。
【背景技術】
【０００２】
従来、病院のレントゲン室などの医療施設や、研究施設、あるいは原子力発電所など放射線を取り扱う施設では、壁材などに放射線の遮蔽性能を有する板材が用いられている。
このような放射線を遮蔽する壁材としては、鉛などの金属やコンクリートがよく知られているが、この他に、放射線の遮蔽性を有した樹脂を用いたものも知られている（例えば、特許文献１、特許文献２）。
これらの従来技術では、樹脂に放射線の遮蔽性を有した金属粉を含有させたものが用いられている。
【先行技術文献】
【特許文献】
【０００３】
【特許文献１】国際公開第２００１／０９９１１９号公報
【特許文献２】特開２０１５−１５５８０６号公報
【発明の概要】
【発明が解決しようとする課題】
【０００４】
しかしながら、上述の従来技術では、放射線の遮蔽性を有した樹脂を新たに製造する必要があり、既存の樹脂板を用いることができず、汎用性に劣る。また、放射線の遮蔽性を有した汎用樹脂とは異なる樹脂を製造する必要があり、新たな設備投資が必要である。
【０００５】
また、壁材として、鉛などの金属板を用いる場合は、その重量が重く施工性に劣る。また、壁材としてコンクリートを用いる場合は、コンクリートの流し込み作業となるため、板材を用いる場合と比較して、施工性に劣り、しかも、劣化によるひび割れなどにより放射線の遮蔽性低下のおそれがある。しかも、既存の建物において、後から放射線の遮蔽性を与える部屋を形成するのが難しく、この点でも施工性に劣る。
【０００６】
本開示は、上記問題に着目してなされたもので、汎用性および施工性に優れる放射線遮蔽板を提供することを目的とする。
【課題を解決するための手段】
【０００７】
本開示の放射線遮蔽板は、
形状保持可能な板材と、
前記板材の表面、裏面の少なくとも一方に積層され、かつ、外側面に放射線の遮断性を有した金属メッキ層が設けられた金属板と、
を備える放射線遮蔽板とした。
【０００８】
なお、前記金属メッキ層は、錫メッキ層が好ましい。
また、前記錫メッキ層は、厚さが２５マイクロメートル以下であるのが好ましい。
前記板材は、発泡樹脂製が好ましい。
また、前記金属板は、鋼板が好ましい。
そして、前記金属板は、前記板材の表裏両面に積層されているのが好ましい。
さらに、前記金属メッキ層は、前記金属板の表裏両面に設けられているのが好ましい。
【発明の効果】
【０００９】
本開示の放射線遮蔽板は、板材に、放射線の遮断性を有した金属メッキ層を設けた金属板を積層するだけで、製造することができる。したがって、既存の板材や、金属メッキ金属板を用いることができ、汎用性に優れる。加えて、板材により形状保持可能であるため、金属板に形状保持性能を与える必要が無く、金属板の板厚を抑え、軽量化を図ることが可能である。
しかも、放射線遮蔽板は、板状を成すため、コンクリートによって壁を構築する場合と比較して、施工性に優れる。
なお、金属メッキ層を錫メッキ層としたものは、いわゆるどぶ漬など容易な製造方法を用いた安価なものを用いることができるとともに、既製品も多く、さらに汎用性に優れる。
また、前記錫メッキ層の厚さを２５マイクロメートル以下としたものでは、生産性を確保しつつ、高い放射線遮蔽性能を得ることができる。
さらに、前記板材を発泡樹脂製としたものは、放射線遮蔽板の軽量化をいっそう図ることができる。
また、前記金属板を鋼板としたものは、形状保持性能の向上を図ることができるとともに、汎用性の向上を図ることが可能である。
そして、前記金属板を、前記板材の表裏両面に積層したものでは、金属板を板材の表裏面の一方のみに設けたものと比較して、放射線遮蔽性能を向上できる。
さらに、金属メッキ層を、前記金属板の表裏両面に設けたものでは、金属メッキ層を金属板本体の表裏面の一方のみに設けたものと比較して、放射線遮蔽性能を向上できる。
【図面の簡単な説明】
【００１０】
【図１】実施の形態１の放射線遮蔽板を示す断面図である。
【発明を実施するための形態】
【００１１】
以下、本開示の放射線遮蔽板を実現する形態を、図面に示す実施の形態に基づいて説明する。
（実施の形態１）
以下、実施の形態１の放射線遮蔽板Ａについて説明する。
（放射線遮蔽板の構成）
まず、実施の形態１の放射線遮蔽板Ａの構成について説明する。
図１は、実施の形態１の放射線遮蔽板Ａの断面図である。
図１に示すように、放射線遮蔽板Ａは、板材１０と、この板材１０の表面１０ａおよび裏面１０ａに積層された金属板としての鋼板２０を備える。
【００１２】
板材１０は、例えば、ポリエチレン、ポリプロピレンなどの発泡樹脂により板状に形成されたものを用いている。その寸法は、縦横寸法が1800〜2000cｍ×90〜100cｍ程度の建築用の板材としての一般的な寸法に形成され、厚さは、2.0〜20.0ｍｍ程度の寸法に形成されており、一例として、2.5ｍｍの厚さとする。この板材１０は、後述する板厚が薄い剛性の小さい鋼板２０の板状の形状を維持するためのものであり、その機能を確保できれば厚さは問わない。
【００１３】
鋼板２０は、板材１０の表裏面１０ａ，１０ａの全面を覆う寸法を有し、かつ、板厚が1.0ｍｍ程度の薄板状のものであり、鋼板本体２１とその外周に設けられた金属メッキ層としての錫メッキ層２２とを有している。
鋼板本体２１は、本実施の形態１では、厚さが0.7〜0.8ｍｍ程度の寸法のものを用いている。
【００１４】
錫メッキ層２２は、鋼板本体２１を、錫の溶融した溶融金属中に浸漬させるメッキ、いわゆるドブ漬けにより形成されたもので、鋼板本体２１の外側面の全体に亘って設けられている。また、本実施の形態１では、錫メッキ層２２の厚さは、20〜25マイクロメートル（以下、μｍと表す）程度であり、例えば、23μｍとする。
【００１５】
（実施の形態１の作用）
次に、実施の形態１の放射線遮蔽板Ａの作用を説明する。
（放射線遮蔽性能）
まず、放射線の遮蔽性能について説明する。
JIS Z4501 X線防護用品の鉛当量試験方法に準拠して、Ｘ線に対する遮蔽性が何ｍｍ厚の鉛に相当するのかを評価し、０．２ｍｍ相当の遮蔽性能を有することが分かった。
【００１６】
（製造時）
板材１０は、既存の樹脂発泡パネルを用い、所望の寸法に切断して板材１０を形成することができる。
また、鋼板２０は、既存の鋼板本体２１に、錫メッキを施し、外側面に錫メッキ層２２を設けることにより形成することができる。この場合、既存の錫メッキ鋼板を用いることも可能である。
【００１７】
そして、板材１０の表面１０ａおよび裏面１０ａに、鋼板２０を接着材（不図示）により貼り付け、放射線遮蔽板Ａを形成することができる。
【００１８】
このように、既存の板材１０と、単に、外側面に錫メッキを施した鋼板２０により製造することができ、汎用性に優れる。
【００１９】
（施工時）
本実施の形態１の放射線遮蔽板Ａは、例えば、レントゲン室など、放射線を遮蔽する必要がある部屋の内壁に沿って、設置することができる。また、空間を仕切る間仕切
壁として設置することもできる。
この場合、板材１０として発泡材を用いているため、全体重量が軽く（例えば、５ｋｇ／ｍ２程度）、運搬性および施工性に優れる。
また、放射線遮蔽板Ａの厚さは３ｍｍ程度であるため、内壁に沿って設置した場合の部屋の内寸に与える影響も少ない。
【００２０】
しかも、鋼板２０は、板材１０に貼り付けているため、鋼板２０として、それ自体では形状保持できない薄さのものを用いても、平面状に形状保持できる。したがって、形状保持可能な厚さの鋼板を用いたものと比較して、全体重量を抑えることができ、これによっても、運搬性および施工性に優れる。
例えば、放射線遮蔽板Ａと同等の放射線遮蔽性能を発揮する厚さ０．２ｍｍの程度の鉛の板材を用いた場合、自重で曲がってしまい、運搬性および施工性に劣る。
【００２１】
なお、放射線遮蔽板Ａが１枚では、必要な放射線の遮蔽性能が得られない場合には、この放射線遮蔽板Ａを複数枚厚さ方向に重ねて設置することで、複数倍の遮蔽性能を得ることができる。
【００２２】
（実施の形態１の効果）
以下に、実施の形態１の放射線遮蔽板Ａの効果を列挙する。
実施の形態１の放射線遮蔽板Ａは、
形状保持可能な板材１０と、
板材１０の表裏面１０ａ，１０ａに積層され、かつ、外側面に錫メッキ層２２が設けられた鋼板２０と、
を備える放射線遮蔽板とした。
したがって、錫メッキ層２２により、放射線を遮蔽することができる。
また、錫メッキ層２２を鋼板本体２１の表面にメッキ層として設けたため、同厚の錫製の板を用いて放射線を遮蔽するものと比較して、錫メッキ層２２の形状を保持でき、これを直接板材１０の表裏面１０ａ，１０ａに設ける場合と比較して施工性に優れる。
しかも、鋼板本体２１も、本実施の形態１のように、0.7〜0.8ｍｍ程度の板厚とした場合、それ単体では形状保持が難しく、運搬性および施工性に劣る。一方、鋼板本体２１を、それ自体で形状保持可能な板厚とした場合、重量が嵩んでしまい、この場合も、運搬性および施工性が悪化する。
それに対し、本実施の形態１では、鋼板２０を板材１０の表裏面１０ａ，１０ａに積層したため、鋼板２０の板厚を薄くしても板材１０により形状保持することができるとともに、重量を低く抑えることができる。
【００２３】
さらに、本実施の形態１の放射線遮蔽板Ａは、板材１０を、発泡樹脂により形成しているため、非発泡樹脂を用いるよりも、放射線遮蔽板Ａの重量を低く抑えることができる。これにより、運搬性および施工性をさらに向上できる。
【００２４】
加えて、本実施の形態１の放射線遮蔽板Ａは、金属板として鋼板２０を用いたため、汎用性およびコスト性に優れ、かつ、高い剛性を得ることができる。
【００２５】
しかも、実施の形態１の放射線遮蔽板Ａは、鋼板２０を、板材１０の表裏両面１０ａ，１０ａに設けているため、板材１０の表裏面１０ａ，１０ａの片面のみに設けた場合よりも、２倍程度の高い放射線遮蔽性能を得ることができる。
【００２６】
さらに、本実施の形態１の放射線遮蔽板Ａは、錫メッキ層２２を、鋼板本体２１の表裏両面２１ａ，２１ｂを含み、外側面の全周面に積層した構成とした。したがって、錫メッキ層２２を鋼板本体２１の表面２１ａ，裏面２１ｂの片面のみに設けた場合と比較して、２倍程度の高い放射線遮蔽性能を得ることができる。
特に、本実施の形態１では、上記錫メッキ層２２を表裏両面２１ａ，２１ｂに有する鋼板２０を、板材１０の表裏両面１０ａ，１０ａに設けることで、厚さ方向に４層の錫メッキ層２２を備えるため、より高い放射線遮蔽性能を得ることができる。
しかも、錫メッキ層２２は、鋼板本体２１をドブ漬けメッキにより形成したため、生産性に優れ、製造コストを低く抑えることができる。また、鋼板２０として既製品を用いることも可能である。
【００２７】
また、本実施の形態１の放射線遮蔽板Ａは、錫メッキ層２２の厚さを２５マイクロメートル以下であって、２３マイクロメートル程度としている。
このため、錫メッキ層２２をいわゆるドブ漬により形成可能として良好な生産性を確保しつつ、高い放射線遮蔽性能を得ることができる。
【００２８】
以上、本開示の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
【００２９】
例えば、実施の形態では、板材として、発泡樹脂により形成された板材を用いた例を示したが、これに限定されず、非発泡性の樹脂（ポリエチレン、ポリプロピレン）や、ベニヤ板などの木製の板などを用いることができる。要は、板材は、放射線の遮蔽性能は不要であり、放射線遮蔽板の形状保持可能な剛性を有していればよく、かつ、錫メッキ層を設けた金属板よりも軽量（低密度）であることが望ましい。
【００３０】
また、実施の形態では、金属板（鋼板２０）を板材の表裏両面に設けた例を示したが、これに限定されず、表裏面の一方のみ設けた構成としてもよい。
さらに、金属板（鋼板）に設けた金属メッキ層としての錫メッキ層としては、金属板の外側面の全体に亘って設けた例を示したが、これに限定されず、表裏両面あるいはその一方に設けられたものでもよい。例えば、錫メッキ層を外側面の全体に備えた金属板（鋼板）を、所定の大きさに切断したものを用いてもよく、その場合、金属板の外周端面のうちの２面、あるいは、４面を切断面として、これらの端面に錫メッキ層を設けない構成とすることができる。
また、金属板として、鋼板を用いた例を示したが、金属板の材質としては、鋼に限らず錫メッキ層を形成可能なものであれば、銅、亜鉛、ニッケルなどを含む他の金属を用いてもよい。
さらに、実施の形態では、金属メッキ層として錫メッキ層を示したが、これに適用できる金属メッキ層に用いる金属としては、錫に限定されるものではなく、金属板へのメッキが可能であり、かつ、放射線の遮断性を有するものであれば鉛系金属など既知、未知の他の金属を用いることができる。
【符号の説明】
【００３１】
１０   板材
１０ａ 表面、裏面
２０   鋼板（金属板）
２１   鋼板本体
２１ａ 表面
２１ｂ 裏面
２２   錫メッキ層（金属メッキ層）
Ａ     放射線遮蔽板
【図１】
2019117100.tif 000003